(57)【要約】【課題】  遊技の興趣向上のために大当たりの発生確率を通常時より高めた特別遊技状態が発生中であるか否かを遊技者側から判別不可能に構成された遊技機が管理対象であった場合に、特別遊技状態が発生している期間に遊技を止めてしまった遊技者の数を示すデータを収集し、その収集データを遊技者側の不利益解消に役立てること。【解決手段】  パチンコ遊技機１は、大当たり終了後に遊技者側に有利な確変及び時短の双方を同時に発生し、確変転落抽選に当選したときに確変を終了し、特別図柄表示部での図柄変動動作が所定回数実行されたときに時短を終了する（遊技者側では、パチンコ遊技機１で確変が発生しているか否かを判別できない）。管理装置１３は、確変が発生した状態にあるパチンコ遊技機１での遊技が終了したことを検出し、その検出結果に基づいて、確変中のパチンコ遊技機１での遊技を途中で止めてしまった遊技者の人数を示すデータを集計する。【選択図】  図１
2006340971.tif 000002
【特許請求の範囲】
【請求項１】
遊技に伴い所定条件が成立したときに大当たりの発生確率を通常遊技状態より高めた特別遊技状態を所定期間だけ発生させると共に、特別遊技状態が発生中であるか否かを遊技者側から判別不可能に構成された遊技機についての稼動データを管理するための遊技データ管理装置において、
前記遊技機の遊技状態が通常遊技状態であるのか特別遊技状態であるのかを判定する遊技状態判定手段と、
前記遊技機での遊技が終了したことを検出する終了検出手段と、
前記遊技状態判定手段による判定結果と、前記終了検出手段による検出結果とを対応付けて記録する記録手段と、
を備えたことを特徴とする遊技データ管理装置。
【請求項２】
前記遊技状態判定手段が特別遊技状態であると判定している期間において前記終了検出手段が遊技の終了を検出した回数を、特別遊技状態中遊技終了回数として集計する集計手段を備えたことを特徴とする請求項１記載の遊技データ管理装置。
【発明の詳細な説明】
【技術分野】
【０００１】
本発明は、遊技に伴い所定条件が成立したときに大当たりの発生確率を通常時より高めた特別遊技状態を所定期間だけ発生させる遊技機、特にはその特別遊技状態が発生中であるか否かを遊技者側から判別不可能に構成された遊技機についての稼動データを集計するための遊技データ管理装置に関する。
【背景技術】
【０００２】
例えば、デジパチ或いはセブン機などと呼称されるパチンコ遊技機、つまりスタート入賞口へのパチンコ玉の入賞に応じて行われる抽選動作に応じて大当たりが発生する形式のパチンコ遊技機においては、所定条件の成立（例えば抽選動作の結果を表示するための図柄表示装置に特定の当たり図柄が表示されること）に応じて、大当たり抽選動作の当たり確率を通常時より高めた確率変動状態（以下、確変と呼ぶ）を所定期間だけ呈するように構成されるのが一般的になっている。従来では、このような確変が発生したときに、その旨をパチンコ遊技機と対応して設置された呼出ランプユニット或いは他の表示ランプの点滅などにより報知することが行われているが、このような報知では、確変発生に対する新鮮味が損なわれると共に、確変が発生するか否かに対する緊張感や期待感が損なわれるという弊害がある。そこで、従来では、例えば特許文献１に見られるように、大当たりが終了した後に所定の割合で確変を発生し、確変が発生した場合であっても、その旨の報知を行う場合と行わない場合とを出現させるという報知制御を実行することにより、上記のような弊害に対処するようにした手段が提供されている。
【特許文献１】特開２００３−１６４５８７号公報
【発明の開示】
【発明が解決しようとする課題】
【０００３】
特許文献１に見られるようなパチンコ遊技機は、遊技の興趣を向上させる上では有効であるといえるが、遊技者側の不利益の拡大を招く可能性が高くなるという問題点がある。即ち、パチンコ遊技機で確変が発生している状態が報知されない構成であった場合、当該遊技機での遊技者が遊技終了するタイミングを決める際には、確変中であるか否かを遊技者自身が判断（想像）することになる。しかしながら、確変中にあるか否かを遊技者側で見極めることが不可能である以上、確変中にあるにも拘らず遊技を止めてしまうケースが多々発生することが避けられない。つまり、遊技者側では、大当たりを高い確率で発生させる機会をみすみす放棄することになり、大きな不利益を知らず知らずのうちに被ることになる。
【０００４】
本発明は上記事情に鑑みてなされたものであり、その目的は、遊技の興趣向上のために大当たりの発生確率を通常時より高めた特別遊技状態が発生中であるか否かを遊技者側から判別不可能に構成された遊技機が管理対象であった場合に、特別遊技状態が発生している期間に遊技を止めてしまった遊技者の数を示すデータを収集可能にすることができ、その収集データを遊技者側の不利益解消に役立て得るようになる遊技データ管理装置を提供することにある。
【課題を解決するための手段】
【０００５】
請求項１記載の発明は、上記目的を達成するために、遊技に伴い所定条件が成立したときに大当たりの発生確率を通常遊技状態より高めた特別遊技状態を所定期間だけ発生させると共に、特別遊技状態が発生中であるか否かを遊技者側から判別不可能に構成された遊技機についての稼動データを管理するための遊技データ管理装置において、
前記遊技機の遊技状態が通常遊技状態であるのか特別遊技状態であるのかを判定する遊技状態判定手段と、前記遊技機での遊技が終了したことを検出する終了検出手段と、前記遊技状態判定手段による判定結果と、前記終了検出手段による検出結果とを対応付けて記録する記録手段とを備えた構成としたものである。
【０００６】
請求項２記載の発明は、前記遊技状態判定手段が特別遊技状態であると判定している期間において前記終了検出手段が遊技の終了を検出した回数を、特別遊技状態中遊技終了回数として集計する集計手段を備えた構成としたものである。
【発明の効果】
【０００７】
請求項１記載の遊技データ管理装置によれば、遊技機においては、遊技に伴い所定条件が成立したときに大当たりの発生確率を通常時より高めた特別遊技状態が所定期間だけ発生するようになるが、遊技者側では、遊技機において特別遊技状態が発生しているか否かを判別することができない。一方、遊技機の遊技状態が、通常遊技状態であるのか特別遊技状態であるのかが遊技状態判定手段において判定されると共に、遊技機での遊技が終了したときには、その旨が終了検出手段により検出されるようになり、記録手段は、このような遊技状態判定手段による判定結果と、終了検出手段による検出結果とを対応付けて記録するようになる。要するに、記録手段の記録内容に基づいて、大当たり発生確率を通常時より高めた特別遊技状態が発生している期間に遊技を止めてしまった遊技者（大当たりを高い確率で発生させる機会をみすみす放棄するという不利益を被った遊技者）の数を示すデータを収集可能になるものであり、例えば、遊技場側で、当該収集データに基づいて特別遊技状態にある遊技機での遊技を途中で止めてしまった遊技者の人数を示すデータを把握し、そのデータを遊技場内放送システムによりアナウンスしたり、或いは当該データを遊技場内に設けられたデータ表示端末に表示するなどして遊技者側の注意を喚起することにより、上記収集データを遊技者側の不利益解消に役立て得るようになる。
【０００８】
請求項２記載の遊技データ管理装置によれば、遊技状態判定手段が特別遊技状態であると判定している期間において終了検出手段が遊技の終了を検出した回数、つまり、遊技者が、特別遊技状態にある遊技機での遊技を止めてしまった回数が、集計手段において特別遊技状態中遊技終了回数として集計される。従って、その特別遊技状態中遊技終了回数に基づいて、大当たりを高い確率で発生させる機会をみすみす放棄するという不利益を被った遊技者の数を容易に把握可能になる。
【発明を実施するための最良の形態】
【０００９】
以下、本発明の一実施例について図面を参照しながら説明する。
図２には、本実施例で管理対象となるパチンコ遊技機の正面外観が概略的に示されている。この図２において、パチンコ遊技機１は、その上皿２内のパチンコ玉を電動式の発射装置（操作ダイヤルのみ符号３を付して示す）により盤面４へ発射する構成となっている。盤面４には、アウト口５、電動チューリップ６ａを備えたスタート入賞口６、賞球の払出しがないスルー入賞口７、アタッカーと呼ばれる電動役物８ａを備えた大入賞口８、図柄表示装置９が設けられていると共に、図示しない通常入賞口も設けられている。
上記図柄表示装置９は、例えば液晶表示パネルにより構成されたもので、図３に概略的に示すように、特別図柄表示部９ａ、保留玉数表示部９ｂ、普通図柄表示部９ｃを備えている。
【００１０】
上記のように構成されたパチンコ遊技機１の基本動作は以下の通りである。
（１）スタート入賞口６へのパチンコ玉の入賞に応じて所定の当たり確率（例えば、通常状態時において１／３００、後述する確変状態時において１／６０）の大当たり抽選動作を実行すると共に、当該パチンコ玉の入賞数を、大当たり抽選動作の抽選結果（「大当たり」または「ハズレ」）が付随した状態の保留玉データとして一時的に記憶する。
【００１１】
（２）上記記憶動作は、例えばＦＩＦＯ形式（先入れ先出し形式）で行われるものであり、記憶された保留玉データは、付随した抽選結果の表示動作が特別図柄表示部９ａにおいて実行される毎に消化される。この抽選結果の表示動作は、パチンコ遊技機１において後述する形態の大当たりが発生していない期間、並びに特別図柄表示部９ａが動作停止している期間には直ちに実行され、また、当該大当たりが発生している期間や特別図柄表示部９ａが動作中の期間には、その大当たりの終了或いは特別図柄表示部９ａの動作停止を待って実行される。この場合、特別図柄表示部９ａは、図柄表示装置９の中央に表示される例えば３桁の数字列より成るルーレットにより構成されたもので、抽選結果の表示動作時には、当該ルーレットの図柄変動表示（本実施例の場合、数字列の各桁の「０」〜「９」の範囲での変動表示）を所定期間だけ行うと共に、抽選結果が「大当たり」であったときにはその図柄変動表示の終了時点で数字列が「１１１」、「２２２」、…のようなぞろ目図柄（大当たり図柄）となるように制御され、抽選結果が「ハズレ」であったときには、ぞろ目図柄以外のハズレ図柄をランダムに表示するように制御される。
【００１２】
（３）特別図柄表示部９ａにぞろ目図柄が表示されたときには、大入賞口８の電動役物８ａ（アタッカー）を予め決められたモードにて所定期間だけ開放する制御を行い、以て当該大入賞口８への入賞率を極端に高めた大当たりを発生させる。
【００１３】
（４）保留玉データの最大記憶数、つまり未消化の保留玉数の上限値は、例えば４個分に限定される構成となっており、その保留玉数は、保留玉数表示部９ｂにおいて周知の形態で表示される。
【００１４】
（５）スルー入賞口７へのパチンコ玉の入賞に応じて所定の当たり確率（例えば１／１０）の補助抽選動作を実行し、その補助抽選動作の結果を普通図柄表示部９ｃで表示する。尚、普通図柄表示部９ｃは、図柄表示装置９の右下部に表示される例えば２桁の数字列より成るルーレットにより構成されたもので、抽選結果の表示動作時には、当該ルーレットの図柄変動表示（本実施例の場合、数字列の各桁の「０」〜「９」の範囲での変動表示）を所定期間だけ行うと共に、補助抽選動作の結果が当たりであったときにはその図柄変動表示の終了時点で数字列が「１１」、「２２」、…のようなぞろ目図柄（当たり図柄）となるように制御される。
【００１５】
（６）普通図柄表示部９ｃにぞろ目図柄が表示された状態では、電動チューリップ６ａを所定時間（例えば、通常状態時において０．５秒、後述する時短状態時において５秒）だけ開放させる制御を行う。
【００１６】
（７）前記大当たりが終了したとき（本発明でいう「所定条件が成立したとき」に相当）には、大当たり抽選動作の当たり確率（つまり、大当たりの発生確率）を、通常状態時の１／３００から１／６０に高めた確率変動状態（以下、確変と呼ぶ：特別遊技状態に相当）と、普通図柄表示部９ｃによる表示動作の所要時間を、通常時の３０秒から５秒に短縮した変動時間短縮状態（以下、時短と呼ぶ）とを同時に発生させる。尚、この時短状態では、前述したように、電動チューリップ６ａの開放時間を通常時の０．５秒から５秒に延長する制御も行われる。
【００１７】
（８）確変が発生した期間には、スタート入賞口６へパチンコ玉が入賞する毎に所定の当たり確率（例えば、１／５０）の確変転落抽選動作を実行し、この抽選に当選したときに確変を終了する。尚、上記確変転落抽選動作に当選したこと、つまり確変が終了したことはパチンコ遊技機１において表示されない構成となっており、従って、大当たり終了後において、スタート入賞口６へのパチンコ玉の入賞があった後には、遊技者側からはパチンコ遊技機１が確変中であるか否かを直接的に判別できないことになる。
【００１８】
（９）時短が発生した期間において、特別図柄表示部９ａでの図柄変動動作が所定回数（例えば５０回）実行されたときには、当該時短を終了する。尚、時短が終了したことは報知されないが、時短の終了に伴い普通図柄表示部９ｃによる表示動作の所要時間及び電動チューリップ６ａの開放時間が通常状態に戻されることになるから、遊技者では、上記のような各時間の変化に基づいて時短が終了したことを間接的に判別できる。尚、時短が終了したことを明確に報知し、遊技者が直接手金時短の終了を判別できるようにしても良い。
【００１９】
以上のような基本動作が設定されたパチンコ遊技機１においては、大当たりが一旦発生したときには、その大当たりの終了後において確変と時短が同時に発生することになる。この場合、時短は一定期間が経過したときに必ず終了するが、確変の終了時期は確変転落抽選動作の結果に依存して決まるため、それら確変及び時短の各継続期間が一致しなくなる。
【００２０】
つまり、パチンコ遊技機１においては、大当たりが終了した後には、
（Ａ）確変及び時短が同時に発生した確変／時短遊技状態を呈した期間、
が出現し、この遊技状態にある期間中に大当たりが再発生しなかった場合には、
（Ｂ）確変のみが発生した確変単独遊技状態を呈した期間、
（Ｃ）時短のみが発生した時短単独遊技状態を呈した期間、
の何れかが出現し、これら各期間中に大当たりが再発生しなかった場合には、
（Ｄ）確変及び時短が双方ともに発生していない通常遊技状態を呈した期間、
が出現することになる。但し、確率的には非常に低いが、確変及び時短がほとんど同じ時期に終了する可能性があり、このような場合には確変／時短遊技状態（Ａ）の後に、確変単独遊技状態（Ｂ）或いは時短単独遊技状態（Ｃ）が実質的に出現せず、通常遊技状態（Ｄ）がいきなり出現することになる。
【００２１】
また、パチンコ遊技機１は大当たりにある期間に大当たり信号を出力し、確変及び時短にある各期間に確変信号及び時短信号をそれぞれ出力する構成となっている。
従って、パチンコ遊技機１は、大当たりが発生した後において、大当たりが再発生することなく通常遊技状態（Ｄ）に移行した場合には、図４（ａ）及び（ｂ）の何れか一方のタイミングチャートに示すパターンで大当たり信号、時短信号及び確変信号を出力することになる。即ち、図４（ａ）に示す信号出力パターンは、大当たり終了後に発生した確変及び時短のうち時短が先に終了する場合（大当たり状態→確変／時短遊技状態→確変単独遊技状態→通常遊技状態の順に推移する場合）の例であり、また、図４（ｂ）に示す信号出力パターンは、大当たり終了後に発生した確変及び時短のうち確変が先に終了する場合（大当たり状態→確変／時短遊技状態→時短単独遊技状態→通常遊技状態の順に推移する場合）の例である。
【００２２】
図１には、遊技場用システムの概略的構成が本発明の要旨に関係した部分のみ示されている。この図１において、遊技場内に多数台ずつ設置されたパチンコ遊技機１及び台間玉貸機１０は、互いの間で信号の授受を行い得るように構成されており、また、各台間玉貸機１０に隣接した状態で台毎表示ユニット１１（終了検出手段に相当）が設置されている。パチンコ遊技機１の上方には、データ入出力インタフェース機能を備えた呼出ランプユニット１２が設けられており、パチンコ遊技機１（及び台間玉貸機１０）と管理装置１３（遊技状態判定手段、記録手段、集計手段に相当）との間でのデータの授受が当該呼出ランプユニット１２及びＬＡＮ１４を介して行われる構成となっている。さらに、台毎表示ユニット１１と管理装置１３との間でのデータの授受がＬＡＮ１４を介して行われる構成となっている。尚、パチンコ遊技機１から管理装置１３には、アウト玉数信号、セーフ玉数信号、特別図柄表示部９ａの動作開始を示すスタート信号、大当たり信号、確変信号、時短信号などが送信される。
【００２３】
台間玉貸機１０は、プリペイドカード挿入口１０ａに図示しないプリペイドカードが挿入された状態で当該プリペイドカードに記憶された残高金額データの範囲内でパチンコ玉を放出（貸出）するＣＲ機（カードリーダ機）としての機能を備えたものである。この場合、各台間玉貸機１０から管理装置１３には、プリペイドカードによる売上を示す売上信号などが送信される。
【００２４】
台毎表示ユニット１１は、表示面にタッチパネルを有したデータ表示用液晶表示器１１ａ、パチンコホールが発行した会員カード１５のためのカード挿入口１１ｂ、カード排出ボタン１１ｃなどを備えた構成となっている。上記会員カード１５は、遊技場側に会員登録された遊技者に対して発行されるものであり、これに記録された会員番号を利用して会員毎の来店状況、パチンコ遊技機１での遊技状況などを管理できるシステム構成となっている。この場合、台毎表示ユニット１１にあっては、カード挿入口１１ｂに挿入された会員カード１５から読み取った会員番号を含むデータ信号を管理装置１３へ送信する構成となっている。また、台毎表示ユニット１１は、そのカード挿入口１１ｂに適正な会員カード１５が挿入された状態から当該会員カード１５が引き抜かれたときに、対応するパチンコ遊技機１での遊技が終了したことを検出する構成となっており、その旨を示す信号を管理装置１３へ送信する構成となっている。尚、台毎表示ユニット１１にあっては、そのカード挿入口１１ｂに適正な会員カード１５が挿入された状態では、管理装置１３から取得したデータを表示するための複数パターンのデータ表示画面及びＴＶ画面などを、液晶表示器１１ａに対し選択的に表示する構成となっている。
【００２５】
呼出ランプユニット１２は、符号を付して示さないが、複数の表示ランプ、例えば液晶表示器、呼出ボタンなどを備えた周知構成のもので、呼出ボタンの操作に伴う呼び出し状態の表示機能、対応するパチンコ遊技機１で発生した大当たり状態などを表示する機能、パチンコ遊技機１及び台間玉貸機１０のためのデータ入出力インタフェースの機能などを備えている。
【００２６】
管理装置１３は、パチンコ遊技機１、台間玉貸機１０及び台毎表示ユニット１１から出力される種々の信号（アウト玉数信号、セーフ玉数信号、スタート信号、大当たり信号、確変信号、時短信号、売上信号、会員番号を含むデータ信号など）に基づいて、パチンコ遊技機１についての稼動データ（アウト玉数、セーフ玉数、差玉数、稼動率、出玉率、ベース、スタート回数（特別図柄表示部９ａでの図柄変動動作開始回数）など）、並びに台間玉貸機１０についての貸出高データ（売上金額、割数など）を集計すると共に、必要に応じて会員毎の稼動データを集計するという周知のデータ集計機能を備えた構成となっている。
【００２７】
特に、管理装置１３は、パチンコ遊技機１からの大当たり信号、確変信号、時短信号の入力状態に基づいて、当該パチンコ遊技機１が前述した確変／時短遊技状態、確変単独遊技状態、時短単独遊技状態、通常遊技状態の何れの状態にあるかを識別する機能、並びに遊技者がパチンコ遊技機１での遊技を止めたことを検知する機能（本実施例では、会員カード１５が台毎表示ユニット１１のカード挿入口１１ｂから排出されたことをもって遊技を止めた旨の検知を行う構成が可能であるが、後述する「その他の実施の形態」の項に示すような他の手段により検出する構成であっても良い）を備えており、その識別結果及び検出結果に基づいてパチンコ遊技機１に係る稼動データを個別に集計する構成となっている。具体的には、管理装置１３は、パチンコ遊技機１毎に以下（１）〜（４）のようなタイミングで稼動データに係るレコードを記録し、そのレコードを当該パチンコ遊技機１の台番号と対応付けた状態で順次蓄積した大当たり履歴データを作成して出力する構成となっている。
【００２８】
即ち、図５には、パチンコ遊技機１の台番号（この例では「１２３」）に対応付けられた大当たり履歴データの出力例が示されており、これを参照しながら当該大当たり履歴データの作成機能について説明する。
【００２９】
（１）パチンコ遊技機１において、大当たりが発生する毎に、その大当たり発生に係る「通し番号（Ｎｏ．）」、「発生時刻」、台毎表示ユニット１１のカード挿入口１１ｂに挿入された会員カード１５から読み取った「会員番号（Ｎｏ．）」、大当たり発生直前の遊技状態の「種別」を示す情報（確変／時短遊技状態「Ｗ」、確変単独遊技状態「Ｋ」、時短単独遊技状態「Ｊ」、通常遊技状態「−」の何れか）、それぞれ前回のレコード作成時点（先頭レコードについては遊技場の営業開始時点）からの「スタート回数（スタート）」、「アウト玉数（ＢＯ）」及び「差玉数（Ｂ差）」を記録したレコードを作成する。また、このレコード中には、対応する大当たりが終了したときに、「大当たり中差玉数（ＴＹ）」及び「大当たり中アウト玉数（ＴＯ）」が記録される。
【００３０】
つまり、図５の例では、レコード中に記録された「通し番号」、「発生時刻」及び「種別」の各データにより、１０時５分に発生した１回目の大当たり並びに１１時１０分に発生した２回目の大当たりは、パチンコ遊技機１が通常遊技状態にあるときに発生したことが示され、また、１２時５分に発生した３回目の大当たりはパチンコ遊技機１が確変単独遊技状態にあるときに発生し、１２時１７分に発生した４回目の大当たりはパチンコ遊技機１が確変／時短状態にあるときに発生したことが示される。さらに、レコード中に記録された「会員番号」のデータにより、１回目の大当たりは会員番号が１２３４番の遊技者、２回目の大当たりは会員番号が２２２番の遊技者、３回目及び４回目の大当たりは会員番号が１００１番の遊技者によるものであることがそれぞれ示される。
【００３１】
（２）パチンコ遊技機１において、大当たりの終了に引き続く確変／時短遊技状態が終了する毎に、「発生時刻」、当該遊技状態の「種別」を示す情報（つまり、確変／時短遊技状態を示す「Ｗ」）、前回のレコード作成時点（大当たりの終了時点）からの「スタート回数（スタート）」、「アウト玉数（ＢＯ）」及び「差玉数（Ｂ差）」を記録したレコードを作成する。
【００３２】
つまり、図５の例では、通し番号が記録されていないレコードのうち、当該通し番号が記録されたレコードの次段に位置した各レコード（２段目、６段目、１０段目の各レコード）中の数値データにより、大当たり終了後において確変／時短遊技状態にあった期間中の「スタート回数」、「アウト玉数」、「差玉数」が示されることになる。
【００３３】
（３）パチンコ遊技機１において、確変／時短遊技状態に引き続いて発生した遊技状態（確変単独遊技状態または時短単独遊技状態）が終了する毎に、「発生時刻」、当該終了遊技状態の「種別」を示す情報（「Ｋ」または「Ｊ」）、前回のレコード作成時点（確変／時短遊技状態の終了時点）からの「スタート回数（スタート）」、「アウト玉数（ＢＯ）」及び「差玉数（Ｂ差）」を記録したレコードを作成する。
【００３４】
つまり、図５の例では、通し番号が記録されていないレコードのうち、当該通し番号が記録されたレコードの次々段に位置したレコード（３段目のレコード）中の「種別」データ（「Ｊ」）により、確変／時短遊技状態において確変が先に終了して時短単独遊技状態に移行したことが示され、同じく１１段目のレコード中の「種別」データ（「Ｋ」）により、確変／時短遊技状態において時短が先に終了して確変単独遊技状態に移行したことが示される。また、当該各レコード中の数値データにより、確変／時短遊技状態終了後において時短単独遊技状態或いは確変単独遊技状態にあった各期間中の「スタート回数」、「アウト玉数」、「差玉数」が示されることになる。
【００３５】
（４）台毎データ表示端末１１がパチンコ遊技機１での遊技終了を検出する毎に、その検出時刻を「発生時刻」欄に記録すると共に、「会員番号」欄に「−」を記録し、さらに、遊技終了検出時点での遊技状態の「種別」を示す情報（確変／時短遊技状態「Ｗ」、確変単独遊技状態「Ｋ」、時短単独遊技状態「Ｊ」、通常遊技状態「−」の何れか）、前回のレコード作成時点からの「スタート回数（スタート）」、「アウト玉数（ＢＯ）」及び「差玉数（Ｂ差）」を記録したレコードを作成する。
【００３６】
つまり、図５の例では、通し番号が記録されていないレコードのうち、「会員番号」欄に「−」が記録されたレコード（４段目、７段目、１２段目の各レコード）中の「種別」欄のデータに基づいて、遊技終了した時点でのパチンコ遊技機１の遊技状態が示されることになる。具体的には、４段目及び１２段目のレコードは、「種別」欄のデータが「−」であるから、遊技終了時点では通常遊技状態にあったことが示され、図５において網掛けを施して示した７段目のレコードは、「種別」欄のデータが「Ｋ」であるから、遊技終了時点では確変単独遊技状態にあったことが示される。また、当該各レコード中の数値データにより、前レコードの作成時点から遊技を終了した時点までの「スタート回数」、「アウト玉数」、「差玉数」が示されることになる。
【００３７】
一方、管理装置１３は、上記のように集計した大当たり履歴データとは別に、パチンコ遊技機１毎の収支特性を示す「稼動データ１」を算出して出力する機能を備えている。
図６には、上記「稼動データ１」の出力例が示されている。この図６において「稼動データ１」は、パチンコ遊技機１の台番号と対応付けた状態で、
・累計アウト玉数「アウト」：大当たり履歴データ（図５参照）中の「アウト玉数（ＢＯ）」及び「大当たり中アウト玉数（ＴＯ）」の累計値、
・「累計差玉数（差玉）」：大当たり履歴データ中の「差玉数（Ｂ差）」及び「大当たり中差玉数（ＴＹ）」の累計値、
・「出玉率」：全体の出玉率、つまり、［全体のセーフ玉数（＝「累計差玉数」＋「累計アウト玉数」）÷「累計アウト玉数」］×１００％
・「大当たり間アウト玉数（ΣＢＯ）」：大当たり履歴データ中の「アウト玉数（ＢＯ）」の累計値、
・「大当たり間差玉数（ΣＢ差）」：大当たり履歴データ中の「差玉数（Ｂ差）」の累計値、
・「ベース１」：大当たり期間外の出玉率、
・「ベース２」：確変／時短遊技状態及び時短単独遊技状態を除く大当たり期間外の出玉率、
・「ベース３」：確変／時短遊技状態及び時短単独遊技状態にある期間の出玉率、
・「累計大当たり回数（Ｔ回数）」：大当たりの発生回数（大当たり履歴データ中の「通し番号」の最大値に相当）、
・「平均出玉数（平均ＴＹ）」：大当たり履歴データ中の「大当たり中差玉数（ＴＹ）」の平均値、
・「平均アウト玉数（平均ＴＯ）」：大当たり履歴データ中の「大当たり中アウト玉数（ＴＯ）」の平均値、
を記録したデータである。
【００３８】
また、管理装置１３は、スタート信号、大当たり信号、確変信号、時短信号に基づいて、パチンコ遊技機１毎のスタート回数に係るスタート特性データを集計すると共に、当該パチンコ遊技機１が確変遊技状態にある期間に遊技が終了された回数を集計し、それらを「稼動データ２」として出力する機能を備えている。
【００３９】
図７には、上記「稼動データ２」の出力例が示されている。この図７において、「稼動データ２」は、パチンコ遊技機１の台番号と対応付けた状態で、
・「累計スタート回数（Ｓ）」：特別図柄表示部９ａの図柄変動動作回数の総計、
・「通常時累計スタート回数（Ｓ−）」：通常遊技状態での特別図柄表示部９ａの図柄変動動作回数の累計値、
・確変／時短遊技時累計スタート回数（ＳＷ）」：確変／時短遊技状態での特別図柄表示部９ａの図柄変動動作回数の累計値、
・時短遊技時累計スタート回数（ＳＪ）」：時短単独遊技状態での特別図柄表示部９ａの図柄変動動作回数の累計値、
・確変遊技時累計スタート回数（ＳＫ）」：確変単独遊技状態での特別図柄表示部９ａの図柄変動動作回数の累計値、
・「累計大当たり回数（Ｔ回数）」：大当たりの発生回数、
・「確変中大当たり回数（Ｔｗｋ回数）」：確変／時短遊技状態及び確変単独遊技状態時に発生した大当たりの回数、
・「大当たり間平均スタート回数（ＴＳ）」：大当たり間の平均スタート回数（大当たり確率の逆数に相当）、
・「通常時及び時短時平均スタート回数（ＴＳ−）」：通常遊技状態及び時短単独遊技状態にある期間中の大当たり間平均スタート回数（当該期間での大当たり確率の逆数）、
・「確変時平均スタート回数（ＴＳｗｋ）」：確変／時短遊技状態及び確変単独遊技状態にある期間中の大当たり間平均スタート回数（当該期間での大当たり確率の逆数）、
・「確変中遊技終了回数（Ｋ−）」：パチンコ遊技機１で確変が発生している期間（確変／時短遊技状態または確変単独遊技状態にある期間）に遊技を止めた回数、
を記録したデータである。
【００４０】
特に、管理装置１３は、「確変中遊技終了回数（Ｋ−）」については、遊技場内の全部のパチンコ遊技機１についての合計を算出し、パチンコ遊技機１での遊技を途中で止めてしまった遊技者の人数を示すデータ（例えば、各営業日毎の人数、パチンコ遊技機１の機種毎の人数、或いは各人数と遊技者の全体数との割合など）を集計して格納する構成となっている。
【００４１】
以上要するに、本実施例の構成によれば、パチンコ遊技機１においては、大当たりが一旦発生したときに、その大当たり終了後に遊技者側に有利な確変及び時短の双方が同時に発生した確変／時短遊技状態を呈し、その確変／時短遊技状態において、スタート入賞口６へパチンコ玉が入賞する毎に行われる確変転落抽選に当選したときに確変が終了して時短単独遊技状態を呈し、また、確変／時短遊技状態において、特別図柄表示部９ａでの図柄変動動作が所定回数（５０回）実行されたときに時短が終了して確変単独遊技状態を呈することになる。つまり、確変の終了タイミング及び時短の終了タイミングが自ずと異なるようになるから、大当たり終了後には、確変／時短遊技状態の期間を経た後に、確変単独遊技状態または時短単独遊技状態の何れかの期間を経て通常遊技状態へ戻ることになる。尚、遊技者側では、パチンコ遊技機１において確変が発生しているか否かを判別することができない。
【００４２】
この場合、パチンコ遊技機１からは、大当たりにある期間に大当たり信号が出力され、確変及び時短にある各期間に確変信号及び時短信号がそれぞれ出力されて管理装置１３に与えられるから、管理装置１３側では、それら信号に基づいて、確変／時短遊技状態にある期間、確変単独遊技状態にある期間、時短単独遊技状態にある期間、通常遊技状態にある期間を、正確に識別できることになる。また、管理装置１３では、遊技者が、確変が発生した状態にあるパチンコ遊技機１での遊技を止めたときには、その旨を検出するようになり（図５に示す大当たり履歴データ中に網掛けを施したレコード参照）、その検出結果を稼動データとして集計するようになる（図７に示す「稼動データ２」の「Ｋ−」欄参照）。
【００４３】
さらに、管理装置１３では、確変が発生した状態にあるパチンコ遊技機１での遊技を止めた人数については、遊技場内の全部のパチンコ遊技機１についての合計を算出し、当該算出データを集計して格納する構成となっている。要するに、大当たり発生確率を通常時より高めた確変が発生している期間に遊技を止めてしまった遊技者、つまり、大当たりを高い確率で発生させる機会をみすみす放棄するという不利益を被った遊技者の数を示すデータを収集可能になるものであり、例えば、遊技場側で、当該収集データに基づいて確変にある遊技機での遊技を途中で止めてしまった遊技者の人数を示すデータを遊技場内放送システムによりアナウンスしたり、或いは当該データを台毎表示ユニット１１に表示するなどして遊技者側の注意を喚起することにより、上記収集データを遊技者側の不利益解消に役立て得るようになる。尚、パチンコ遊技機１毎の「稼動データ２」中の「Ｋ−」欄のデータを、当該パチンコ遊技機１に対応した台毎表示ユニット１１に表示する構成としても良い。
【００４４】
（その他の実施の形態）
本発明は上記し且つ図面に示した実施例に限定されるものではなく、例えば以下に述べるような変形或いは拡大が可能である。
大当たり終了後に確変状態と時短状態とを同時に発生するパチンコ遊技機１を管理対象としたが、確変状態のみを発生し時短状態を発生しないパチンコ遊技機を管理対象とすることもできる。
【００４５】
パチンコ遊技機１での確変（特別遊技状態）は、大当たりが終了したときに必ず発生すると共に、スタート入賞口６へパチンコ玉が入賞する毎に実行される確変転落抽選動作に当選したときに終了する構成としたが、これに限られるものではない。具体的には、例えば、大当たりが終了したとき、或いは他の条件が成立したとき（例えば、所謂大当たり間スタート回数が所定の天井値に達したとき、図柄表示装置９に表示されたハズレ図柄が特定の図柄であったときなど）に、確変突入するか否かを予め決められた確変突入確率（例えば１／３〜１／２程度）で決定し、確変突入すると決定したとき（「所定条件が成立したとき」に相当）に確変が発生する構成としても良く、このような構成とする場合には、確変転落抽選動作を前記実施例と同様に行うことも可能であるが、確変転落抽選動作を行わずに、確変が次の大当たり発生まで必ず継続する構成としても良い。
大当たり終了後、転落抽選に当選した時点で確変状態を終了するパチンコ遊技機１を管理対象としたが、確変状態の発生前の時点で確変状態の終了時期を抽選動作により予め決定する形式のパチンコ遊技機を管理対象とすることもできる。
以上要するに、確変状態の終了時期が不定で、且つ確変状態にあるか否かを遊技者側で判別不可能に構成されたパチンコ遊技機を管理対象とできるものである。
遊技者がパチンコ遊技機１での遊技を止めたことの検知を、会員カード１５が台毎表示ユニット１１のカード挿入口１１ｂから排出されたことをもって行う構成としたが、これに代えて、例えば、パチンコ遊技機１からのアウト玉数信号の出力状態に基づいて検知する手段、パチンコ遊技機１での遊技者の有無をカメラ或いはシートスイッチなどを利用して検知する手段、並びにこれらの手段の組み合わせにより実現するなどの構成としても良い。
パチンコ遊技機１に限らず、スロットマシンの稼動データを管理する遊技データ管理装置にも適用できる。
【図面の簡単な説明】
【００４６】
【図１】本発明の一実施例を示す遊技場用システムの概略的構成図
【図２】パチンコ遊技機の概略的正面図
【図３】図柄表示装置の概略的正面図
【図４】信号出力パターンの一例を示すタイミングチャート
【図５】大当たり履歴データの出力例を示す図
【図６】稼動データの出力例を示す図その１
【図７】稼動データの出力例を示す図その２
【符号の説明】
【００４７】
１はパチンコ遊技機、９は図柄表示装置、１０は台間玉貸機、１１は台毎表示ユニット（終了検出手段）、１２は呼出ランプユニット、１３は管理装置（遊技状態判定手段、記録手段、集計手段）を示す。
【図１】
2006340971.tif 000003
【図２】
2006340971.tif 000004
【図３】
2006340971.tif 000005
【図４】
2006340971.tif 000006
【図５】
2006340971.tif 000007
【図６】
2006340971.tif 000008
【図７】
2006340971.tif 000009